(57)【要約】【課題】精度よく在庫配置を評価することが可能な指標を算出可能な在庫配置評価指標算出装置等を提供する。【解決手段】受注時出荷・引当案件抽出部１４４は、受注日時と出荷・引当日時とから、受注時に製品を出荷・引当した受注案件を抽出する。受注当日出荷・引当案件抽出部１４５は、受注日時と出荷・引当日時とから、受注当日中に製品を出荷・引当した受注案件を抽出する。受注時引当率算出部１４６は、算出対象日の受注案件の総数に対する、受注時出荷・引当案件抽出部１４４により抽出された算出対象日の受注案件の件数の割合を示す受注時引当率を算出する。受注当日引当率算出部１４７は、算出対象日の受注案件の総数に対する、受注当日出荷・引当案件抽出部１４５により抽出された算出対象日の受注案件の件数の割合を示す受注当日引当率を算出する。【選択図】図４
2013220872.tif 000002
【特許請求の範囲】
【請求項１】
物流拠点に配置された製品の在庫を評価するための指標を算出する在庫配置評価指標算出装置であって、
前記製品の受注案件毎に、受注した日時を示す情報を含む受注情報を記憶する受注情報記憶部と、
前記製品の受注案件毎に、受注した前記製品が出荷・引当された日時を示す情報を含む出荷・引当情報を記憶する出荷・引当情報記憶部と、
前記受注情報記憶部に記憶された前記受注情報と、前記出荷・引当情報記憶部に記憶された前記出荷・引当情報に基づいて、日ごとに、その日に受注した受注案件のうち、受注した時点において、前記製品を出荷・引当した受注案件を抽出する受注時出荷・引当案件抽出部と、
前記受注情報記憶部に記憶された前記受注情報と、前記出荷・引当情報記憶部に記憶された前記出荷・引当情報に基づいて、日ごとに、その日に受注した受注案件のうち、受注した当日中に、前記製品を出荷・引当した受注案件を抽出する受注当日出荷・引当案件抽出部と、
日ごとに、その日に受注した受注案件の総数を前記受注情報記憶部から取得し、取得した前記受注案件の総数に対する、前記受注時出荷・引当案件抽出部により抽出された、その日の受注案件の件数の割合を示す第１の指標を算出する第１指標算出部と、
日ごとに、その日に受注した受注案件数の総数を前記受注情報記憶部から取得し、取得した前記受注案件の総数に対する、前記受注当日出荷・引当案件抽出部により抽出された、その日の受注案件の件数の割合を示す第２の指標を算出する第２指標算出部と、
を備えることを特徴とする在庫配置評価指標算出装置。
【請求項２】
前記受注情報記憶部は、前記製品の受注案件毎に、受注した日時と、出荷元の物流拠点と、を示す情報を含む受注情報を記憶し、
前記受注時出荷・引当案件抽出部は、前記受注情報記憶部に記憶された前記受注情報と、前記出荷・引当情報記憶部に記憶された前記出荷・引当情報に基づいて、日及び出荷元の物流拠点ごとに、その日に受注し、かつその物流拠点が出荷元である受注案件のうち、受注した時点において、前記製品を出荷・引当した受注案件を抽出し、
前記受注当日出荷・引当案件抽出部は、前記受注情報記憶部に記憶された前記受注情報と、前記出荷・引当情報記憶部に記憶された前記出荷・引当情報に基づいて、日及び出荷元の物流拠点ごとに、その日に受注し、かつその物流拠点が出荷元である受注案件のうち、受注した当日中に、前記製品を出荷・引当した受注案件を抽出し、
前記第１指標算出部は、日及び出荷元の物流拠点ごとに、その日に受注し、かつその物流拠点が出荷元である受注案件の総数を前記受注情報記憶部から取得し、取得した前記受注案件の総数に対する、前記受注時出荷・引当案件抽出部により抽出された、その日に受注し、かつその物流拠点が出荷元である受注案件の件数の割合を示す第１の指標を算出し、
前記第２指標算出部は、日及び出荷元の物流拠点ごとに、その日に受注し、かつその物流拠点が出荷元である受注案件数の総数を前記受注情報記憶部から取得し、取得した前記受注案件の総数に対する、前記受注当日出荷・引当案件抽出部により抽出された、その日に受注し、かつその物流拠点が出荷元である受注案件の件数の割合を示す第２の指標を算出する、
ことを特徴とする請求項１に記載の在庫配置評価指標算出装置。
【請求項３】
物流拠点に配置された製品の在庫を評価するための指標を算出する在庫配置評価指標算出方法であって、
受注情報記憶部に記憶された、前記製品の受注案件毎の、受注した日時を示す情報を含む受注情報と、出荷・引当情報記憶部に記憶された、前記製品の受注案件毎の、受注した前記製品が出荷・引当された日時を示す情報を含む出荷・引当情報と、に基づいて、日ごとに、その日に受注した受注案件のうち、受注した時点において、前記製品を出荷・引当した受注案件を抽出する受注時出荷・引当案件抽出ステップと、
前記受注情報記憶部に記憶された前記受注情報と、前記出荷・引当情報記憶部に記憶された前記出荷・引当情報に基づいて、日ごとに、その日に受注した受注案件のうち、受注した当日中に、前記製品を出荷・引当した受注案件を抽出する受注当日出荷・引当案件抽出ステップと、
日ごとに、その日に受注した受注案件の総数を前記受注情報記憶部から取得し、取得した前記受注案件の総数に対する、前記受注時出荷・引当案件抽出ステップにおいて抽出された、その日の受注案件の件数の割合を示す第１の指標を算出する第１指標算出ステップと、
日ごとに、その日に受注した受注案件数の総数を前記受注情報記憶部から取得し、取得した前記受注案件の総数に対する、前記受注当日出荷・引当案件抽出ステップにおいて抽出された、その日の受注案件の件数の割合を示す第２の指標を算出する第２指標算出ステップと、
を有することを特徴とする在庫配置評価指標算出方法。
【請求項４】
物流拠点に配置された製品の在庫を評価するための指標を算出するコンピュータを、
前記製品の受注案件毎に、受注した日時を示す情報を含む受注情報を記憶する受注情報記憶手段、
前記製品の受注案件毎に、受注した前記製品が出荷・引当された日時を示す情報を含む出荷・引当情報を記憶する出荷・引当情報記憶手段、
前記受注情報記憶手段に記憶された前記受注情報と、前記出荷・引当情報記憶手段に記憶された前記出荷・引当情報に基づいて、日ごとに、その日に受注した受注案件のうち、受注した時点において、前記製品を出荷・引当した受注案件を抽出する受注時出荷・引当案件抽出手段、
前記受注情報記憶手段に記憶された前記受注情報と、前記出荷・引当情報記憶手段に記憶された前記出荷・引当情報に基づいて、日ごとに、その日に受注した受注案件のうち、受注した当日中に、前記製品を出荷・引当した受注案件を抽出する受注当日出荷・引当案件抽出手段、
日ごとに、その日に受注した受注案件の総数を前記受注情報記憶手段から取得し、取得した前記受注案件の総数に対する、前記受注時出荷・引当案件抽出手段により抽出された、その日の受注案件の件数の割合を示す第１の指標を算出する第１指標算出手段、
日ごとに、その日に受注した受注案件数の総数を前記受注情報記憶手段から取得し、取得した前記受注案件の総数に対する、前記受注当日出荷・引当案件抽出手段により抽出された、その日の受注案件の件数の割合を示す第２の指標を算出する第２指標算出手段、
として機能させることを特徴とするプログラム。
【発明の詳細な説明】
【技術分野】
【０００１】
本発明は、在庫配置評価指標算出装置、在庫配置評価指標算出方法、及びプログラムに関する。
【背景技術】
【０００２】
製品の在庫管理を行うシステムの一例として、例えば特許文献１には、最大在庫の履歴と、顧客の注文に対して直ちに納品できた割合を示す即納率の履歴とに基づいて、基準在庫量が妥当か否かを判定する技術が開示されている。この特許文献１に記載の即納率は、１週間単位で算出されるものであり、具体的には前週の販売実績に対する今週の最大在庫の割合として算出される。しかし、特許文献１に記載の即納率は、１週間単位で算出された即納率であり、受注時に即出荷・引当を要する製品において、その製品の在庫が適切か否かを判定することは困難である。
【０００３】
また、製品の受注時において即出荷・引当したか否かを判定するため、即納率は以下のように算出されることがある。
即納率＝（受注時に物流拠点にて在庫引き当てした受注件数）／（受注件数）
上式により算出した即納率であれば、製品の受注時に物流拠点に在庫があったか否かを平易に評価することが可能である。
【先行技術文献】
【特許文献】
【０００４】
【特許文献１】特開２００４−７０８１４号公報
【発明の概要】
【発明が解決しようとする課題】
【０００５】
一日に複数回の在庫補給がある製品については、補給のタイミングによっては受注時に在庫がないが、その後すぐに補給され、在庫引当（出荷）されるケースが多々ある。その場合、上述の式により算出される即納率では悪い評価となるだけで、ユーザは在庫が足りないから即納率が悪いのか、補給のタイミングが悪いから評価が悪いのか判別することができず、在庫配置を適切に評価することが困難である。
【０００６】
本発明は、上述の事情の下になされたもので、精度よく在庫配置を評価することが可能な指標を算出可能な在庫配置評価指標算出装置、在庫配置評価指標算出方法、及びプログラムを提供することを目的とする。
【課題を解決するための手段】
【０００７】
上記目的を達成するため、本発明に係る在庫配置評価指標算出装置は、
物流拠点に配置された製品の在庫を評価するための指標を算出する在庫配置評価指標算出装置であって、
前記製品の受注案件毎に、受注した日時を示す情報を含む受注情報を記憶する受注情報記憶部と、
前記製品の受注案件毎に、受注した前記製品が出荷・引当された日時を示す情報を含む出荷・引当情報を記憶する出荷・引当情報記憶部と、
前記受注情報記憶部に記憶された前記受注情報と、前記出荷・引当情報記憶部に記憶された前記出荷・引当情報に基づいて、日ごとに、その日に受注した受注案件のうち、受注した時点において、前記製品を出荷・引当した受注案件を抽出する受注時出荷・引当案件抽出部と、
前記受注情報記憶部に記憶された前記受注情報と、前記出荷・引当情報記憶部に記憶された前記出荷・引当情報に基づいて、日ごとに、その日に受注した受注案件のうち、受注した当日中に、前記製品を出荷・引当した受注案件を抽出する受注当日出荷・引当案件抽出部と、
日ごとに、その日に受注した受注案件の総数を前記受注情報記憶部から取得し、取得した前記受注案件の総数に対する、前記受注時出荷・引当案件抽出部により抽出された、その日の受注案件の件数の割合を示す第１の指標を算出する第１指標算出部と、
日ごとに、その日に受注した受注案件数の総数を前記受注情報記憶部から取得し、取得した前記受注案件の総数に対する、前記受注当日出荷・引当案件抽出部により抽出された、その日の受注案件の件数の割合を示す第２の指標を算出する第２指標算出部と、
を備えることを特徴とする。
【発明の効果】
【０００８】
本発明によれば、精度よく在庫配置を評価することが可能な指標を算出することができる。
【図面の簡単な説明】
【０００９】
【図１】実施形態に係る在庫配置評価指標算出装置のハードウェア構成を示すブロック図である。
【図２】受注情報ＤＢに格納される受注情報の一例を示す図である。
【図３】出荷・引当情報ＤＢに格納される出荷・引当情報の一例を示す図である。
【図４】実施形態に係る在庫配置評価指標算出装置の機能構成を示すブロック図である。
【図５】指標算出処理の流れの一例を示すフローチャートである。
【図６】実施形態に係る引当率リストの一例を示す図である。
【図７】変形例に係る引当率リストの一例を示す図である。
【発明を実施するための形態】
【００１０】
図１は、本実施形態に係る在庫配置評価指標算出装置１のハードウェア構成を示すブロック図である。図１に示すように、在庫配置評価指標算出装置１は、受注管理システム２と、在庫管理システム３とネットワーク４を介して接続されている。
【００１１】
在庫配置評価指標算出装置１は、物流拠点に配置された製品の在庫を評価するための指標を算出するものである。本実施形態において、在庫配置評価指標算出装置１は、指標として、第１の指標である受注時引当率と、第２の指標である受注当日引当率と、を算出する。ここで、受注時引当率は、受注時において即出荷・引当した受注案件の割合を示す。また、受注当日引当率は、受注当時中に出荷・引当した受注案件の割合を示す。
【００１２】
受注管理システム２は、受注情報を管理する。具体的には、受注管理システム２は、インターネット、電子メール、電話等を介して顧客から製品を受注した際に、その受注情報を管理する。受注情報には、例えば、受注番号、顧客名、受注した製品、受注数量、納期、出荷元の物流拠点等を示す情報が含まれる。
【００１３】
在庫管理システム３は、在庫情報を管理する。具体的には、在庫管理システム３は、受注管理システム２により管理されている受注情報と受注番号により対応付けられた在庫情報を管理する。在庫情報には、例えば、受注番号、出荷・引当日時等を示す情報が含まれる。
【００１４】
次に、在庫配置評価指標算出装置１の構成について詳細に説明する。
【００１５】
図１に示すように、在庫配置評価指標算出装置１は、通信部１１０と、補助記憶部１２０と、主記憶部１３０と、制御部１４０と、入力部１５０と、出力部１６０と、から構成され、これら各部はバス１７０により接続されている。
【００１６】
通信部１１０は、ネットワークと通信可能に接続するための通信インターフェースから構成される。本実施形態において、制御部１４０の制御の下、通信部１１０を介して受注管理システム２及び在庫管理システム３から受注情報、出荷・引当情報を受信する。
【００１７】
補助記憶部１２０は、フラッシュメモリ等の不揮発性メモリから構成される。補助記憶部１２０は、在庫配置評価指標算出装置１の処理を制御部１４０に行わせるためのプログラムを記憶する。また、補助記憶部１２０は、制御部１４０の制御に従って、このプログラムのデータを制御部１４０に供給し、制御部１４０から供給されたデータを記憶する。
【００１８】
また、補助記憶部１２０は、図１に示すように、受注情報ＤＢ１２１と、出荷・引当情報ＤＢ１２２と、を記憶する。
【００１９】
受注情報ＤＢ１２１は、製品の受注案件毎に、受注した日時を示す情報を含む受注情報を格納する。受注情報ＤＢ１２１に格納される受注情報の一例を図２に示す。図２に示す受注情報は、「受注番号」、「受注日時」、「受注製品」、「受注数量」、「出荷元物流拠点」を示す情報を含む。「受注番号」は、受注した案件を識別するための情報である。「受注日時」は、受注した日時を示す。「受注製品」は、受注した製品の製品番号、製品名等、受注した製品を識別するための情報である。「受注数量」は、受注した製品の数量を表す。「出荷元物流拠点」は、受注した製品の出荷元となる物流拠点を識別するための情報である。
【００２０】
出荷・引当情報ＤＢ１２２は、製品の受注案件毎に、受注した製品が出荷・引当された日時を示す情報を含む出荷・引当情報を記憶する。出荷・引当情報ＤＢ１２２に格納される出荷・引当情報の一例を図３に示す。図３に示す出荷・引当情報は、「受注番号」、「出荷・引当日時」を示す情報を含む。「出荷・引当日時」は、対応する「受注番号」が示す受注案件の製品が出荷・引当された日時を示す。なお、まだ製品が出荷・引当されていない受注案件について、その受注番号に対応する出荷・引当日時には、未出荷・引当であることを示す「−」が格納されている。
【００２１】
主記憶部１３０はＲＡＭ（Random-Access Memory）等で構成される。制御部１４０は、補助記憶部１２０に記憶されているプログラムを主記憶部１３０にロードし、作業領域として用いる。
【００２２】
制御部１４０は、例えば、ＣＰＵ（Central Processing Unit）から構成されており、在庫配置評価指標算出装置１の全体の制御を行う。
【００２３】
入力部１５０は、例えば、キーボード、マウス等の各種データを入力するための入力装置から構成される。
【００２４】
出力部１６０は、例えば、液晶ディスプレイ等の各種データを表示出力するための装置から構成される。
【００２５】
次に、在庫配置評価指標算出装置１の制御部１４０の機能的構成について説明する。図４に示すように、制御部１４０は、算出対象日取得部１４１、受注情報取得部１４２、出荷・引当情報取得部１４３、受注時出荷・引当案件抽出部１４４、受注当日出荷・引当案件抽出部１４５、受注時引当率算出部１４６、受注当日引当率算出部１４７、引当率リスト生成部１４８として機能する。
【００２６】
算出対象日取得部１４１は、受注時引当率及び受注当日引当率を算出する対象である日（以下、算出対象日）を取得する。具体的には、算出対象日取得部１４１は、入力部１６０を介してユーザから算出対象日の入力を受け付ける。なお、算出対象日は、一日であってもよいし、複数の日、または、一ヶ月間のように所定の期間であってもよい。
【００２７】
受注情報取得部１４２は、受注管理システム２から受注情報を取得し、取得した受注情報を受注情報ＤＢ１２１に格納する。具体的には、受注情報取得部１４２は、算出対象日取得部１４１により取得された算出対象日を受注日時として含む受注情報を取得する。
【００２８】
出荷・引当情報取得部１４３は、在庫管理システム３から出荷・引当情報を取得し、取得した出荷・引当情報を出荷・引当情報ＤＢ１２２に格納する。具体的には、算出対象日取得部１４１により取得された算出対象日を出荷・引当日時として含む出荷・引当情報を取得する。
【００２９】
受注時出荷・引当案件抽出部１４４は、受注情報ＤＢ１２１に記憶された受注情報と、出荷・引当情報ＤＢ１２２に記憶された出荷・引当情報に基づいて、日ごとに、その日に受注した受注案件のうち、受注した時点において、製品を出荷・引当した受注案件を抽出する。
【００３０】
具体的には、受注時出荷・引当案件抽出部１４４は、受注情報ＤＢ１２１に格納された受注情報の受注日時と、出荷・引当情報ＤＢ１２２に格納された、その受注情報の受注番号に対応する出荷・引当日時と、を比較する。そして、受注時出荷・引当案件取得部１４４は、受注日時と出荷・引当日時とが一致すると判別した場合、その受注番号の受注案件を、受注した時点において、製品を出荷・引当した受注案件として抽出する。
【００３１】
受注当日出荷・引当案件抽出部１４５は、受注情報ＤＢ１２１に記憶された受注情報と、出荷・引当情報ＤＢ１２２に記憶された出荷・引当情報に基づいて、日ごとに、その日に受注した受注案件のうち、受注した当日中に、製品を出荷・引当した受注案件を抽出する。
【００３２】
具体的には、受注当日出荷・引当案件取得部１４５は、受注情報ＤＢ１２１に格納された受注情報の受注日時が示す受注日と、出荷・引当情報ＤＢ１２２に格納された、その受注情報の受注番号に対応する出荷・引当日時が示す出荷・引当日と、を比較する。そして、受注当日出荷・引当案件取得部１４５は、受注日と出荷・引当日とが一致すると判別した場合、その受注番号の受注案件を、受注した当日中に、製品を出荷・引当した受注案件として抽出する。
【００３３】
受注時引当率算出部１４６は、日ごとに、その日に受注した受注案件の総数を受注情報ＤＢ１２１から取得し、取得した受注案件の総数に対する、受注時出荷・引当案件抽出部１４４により抽出された、その日の受注案件の件数の割合を示す受注時引当率を算出する。
【００３４】
具体的には、受注時引当率算出部１４６は、受注情報ＤＢ１２１から、算出対象日の受注案件の総数Ｘallを取得する。なお、算出対象日取得部１４１により複数の算出対象日が取得された場合、受注時引当率算出部１４６は、算出対象日毎に総数Ｘallを取得する。そして、受注時引当率算出部１４６は、受注時出荷・引当案件抽出部１４４により抽出された、算出対象日の受注案件の件数をＸtimeとすると、算出対象日における受注時引当率Ｒtimeは、以下の式により算出される。
Ｒtime＝Ｘtime／Ｘall
【００３５】
受注当日引当率算出部１４７は、日ごとに、その日に受注した受注案件の総数を受注情報ＤＢ１２１から取得し、取得した受注案件の総数に対する、受注当日出荷・引当案件抽出部１４５により抽出された、その日の受注案件の件数の割合を示す受注当日引当率を算出する。
【００３６】
具体的には、受注当日引当率算出部１４７は、算出対象日の受注案件の総数Ｘallを取得する。なお、算出対象日取得部１４１により複数の算出対象日が取得された場合、受注当日引当率算出部１４７は、算出対象日毎に総数Ｘallを取得する。そして、受注当日引当率算出部１４７は、受注当日出荷・引当案件抽出部１４５により抽出された、算出対象日の受注案件の件数をＸdayとすると、算出対象日における受注時引当率Ｒdayは、以下の式により算出される。
Ｒday＝Ｘday／Ｘall
【００３７】
引当率リスト生成部１４８は、受注時引当率算出部１４６により算出された受注時引当率と、受注当日引当率算出部１４７により算出された受注当日引当率と、に基づいて、算出対象日毎の受注時引当率及び受注当日引当率のリスト（引当率リスト）を生成する。そして、引当率リスト生成部１４８は、生成した引当率リストを出力部１６０に表示させる。
【００３８】
次に、在庫配置評価指標算出装置１が実行する処理の流れについて説明する。
【００３９】
図５は、在庫配置評価指標算出装置１が実行する指標算出処理の流れの一例を示すフローチャートである。図５に示す指標算出処理は、例えば、ユーザから入力部１５０を介して指標算出処理の開始を表す操作入力を受け付けたことを契機として開始される。
【００４０】
まず、算出対象日取得部１４１は、算出対象日を取得する（ステップＳ１１）。具体的には、算出対象日取得部１４０は、ユーザから入力部１５０を介して算出対象日の入力を受け付ける。
【００４１】
次に、受注情報取得部１４２は、受注管理システム２からステップＳ１１で取得した算出対象日を受注日時として含む受注情報を取得する（ステップＳ１２）。そして、受注情報取得部１４２は、取得した受注情報を受注情報ＤＢ１２１に格納する。
【００４２】
次に、出荷・引当情報取得部１４３は、在庫管理システム３からステップＳ１１で取得した算出対象日を出荷・引当日時として含む出荷・引当情報を取得する（ステップＳ１３）。そして、出荷・引当情報取得部１４３は、取得した出荷・引当情報を出荷・引当情報ＤＢ１２２に格納する。
【００４３】
次に、受注時出荷・引当案件抽出部１４４は、ステップＳ１１で取得した算出対象日及び受注製品ごとに、その算出対象日にその受注製品を受注し、かつその受注時点においてその受注製品を出荷・引当した受注案件を抽出する（ステップＳ１４）。
【００４４】
例えば、受注時出荷・引当案件抽出部１４４は、ステップＳ１１で取得した算出対象日が「2012/3/1」である場合、受注製品「製品Ａ」について、受注情報ＤＢ１２１から、受注日時として「2012/3/1」を含む受注情報の１つとして、受注日時が「2012/3/1 10:00」である受注番号「001」の受注情報を抽出する。そして、受注時出荷・引当案件抽出部１４４は、出荷・引当情報ＤＢ１２２に記憶された受注番号「001」の出荷・引当情報の出荷・引当日時「2012/3/1 10:00」が、受注番号「001」の受注日時「2012/3/1 10:00」と一致すると判別し、受注番号「001」の受注案件を、算出対象日「2012/3/1」に受注製品「製品Ａ」を受注し、かつその受注時点において受注製品「製品Ａ」を出荷・引当した受注案件として抽出する。
【００４５】
また、受注時出荷・引当案件抽出部１４４は、受注製品「製品Ａ」について、受注情報ＤＢ１２１から、受注日時として「2012/3/1」を含む受注情報の１つとして、受注日時が「2012/3/1 12:00」である受注番号「003」の受注情報を抽出する。しかし、受注時出荷・引当案件抽出部１４４は、出荷・引当情報ＤＢ１２２に記憶された受注番号「003」の出荷・引当情報の出荷・引当日時「2012/3/1 15:00」が受注日時「2012/3/1 12:00」と一致しないと判別するため、受注番号「003」の受注案件を、算出対象日「2012/3/1」に受注製品「製品Ａ」を受注し、かつその受注時点において受注製品「製品Ａ」を出荷・引当した受注案件として抽出しない。
【００４６】
次に、受注当日出荷・引当案件抽出部１４５は、ステップＳ１１で取得した算出対象日及び受注製品ごとに、その算出対象日にその受注製品を受注し、かつその受注当日中にその受注製品を出荷・引当した受注案件を取得する（ステップＳ１５）。
【００４７】
例えば、受注当日出荷・引当案件抽出部１４５は、ステップＳ１１で取得した算出対象日が「2012/3/1」である場合、受注製品「製品Ａ」について、受注情報ＤＢ１２１から、受注日時として「2012/3/1」を含む受注情報の１つとして、受注日時が「2012/3/1 12:00」である受注番号「003」の受注情報を抽出する。そして、受注当日出荷・引当案件抽出部１４５は、出荷・引当情報ＤＢ１２２に記憶された受注番号「003」の出荷・引当情報の出荷・引当日時「2012/3/1 15:00」の日付「2012/3/1」が、受注番号「003」の受注日時「2012/3/1 12:00」の日付「2012/3/1」と一致すると判別し、受注番号「003」の受注案件を、算出対象日「2012/3/1」に受注製品「製品Ａ」を受注し、かつその受注当日中に受注製品「製品Ａ」を出荷・引当した受注案件として抽出する。
【００４８】
また、受注当日出荷・引当案件抽出部１４５は、受注製品「製品Ａ」について、受注情報ＤＢ１２１から、受注日時として「2012/3/1」を含む受注情報の１つとして、受注日時が「2012/3/1 17:00」である受注番号「004」の受注情報を抽出する。しかし、本処理実行日が「2012/3/10」である場合、受注当日出荷・引当案件抽出部１４５は、出荷・引当情報ＤＢ１２２に記憶された受注番号「004」の出荷・引当情報の出荷・引当日時「−」であることから受注番号「004」の受注案件は未出荷・引当である、すなわち受注日「2012/3/1」に受注製品「製品Ａ」を出荷・引当していないと判別するため、受注番号「003」の受注案件を、算出対象日「2012/3/1」に受注製品「製品Ａ」を受注し、かつその受注当日中に受注製品「製品Ａ」を出荷・引当した受注案件として抽出しない。
【００４９】
次に、受注時引当率算出部１４６は、算出対象日及び受注製品ごとに、受注時引当率を算出する（ステップＳ１６）。
【００５０】
例えば、受注時引当率算出部１４６は、ステップＳ１１で取得した算出対象日が「2012/3/1」である場合、受注製品「製品Ａ」について、受注情報ＤＢ１２１から、受注日時として「2012/3/1」を含む受注情報の件数Ｘallを取得する。そして、受注時引当率算出部１４６は、取得したＸallと、ステップＳ１４において抽出された、算出対象日「2012/3/1」に受注製品「製品Ａ」を受注し、かつその受注時点において受注製品「製品Ａ」を出荷・引当した受注情報の件数Ｘtimeと、から、算出対象日が「2012/3/1」であって、受注製品が「製品Ａ」である受注時引当率Ｒtime＝Ｘtime／Ｘallを算出する。
【００５１】
次に、受注当日引当率算出部１４７は、算出対象日及び受注製品ごとに、受注当日引当率を算出する（ステップＳ１７）。
【００５２】
例えば、受注当日引当率算出部１４７は、ステップＳ１１で取得した算出対象日が「2012/3/1」である場合、受注製品「製品Ａ」について、受注情報ＤＢ１２１から、受注日時として「2012/3/1」を含む受注情報の件数Ｘallを取得する。そして、受注当日引当率算出部１４７は、取得したＸallと、ステップＳ１５において抽出された、算出対象日「2012/3/1」に受注製品「製品Ａ」を受注し、かつその受注当日中に受注製品「製品Ａ」を出荷・引当した受注情報の件数Ｘdayと、から、算出対象日が「2012/3/1」であって、受注製品が「製品Ａ」である受注当日引当率Ｒday＝Ｘday／Ｘallを算出する。
【００５３】
次に、制御部１４０は、ステップＳ１１で取得した全ての算出対象日、及び全ての受注製品について受注時引当率及び受注当日引当率を算出したか否かを判別する（ステップＳ１８）。算出していないと判別した場合（ステップＳ１８；Ｎｏ）、制御部１４０は、ステップＳ１４〜Ｓ１７の処理を繰り返す。
【００５４】
ステップＳ１１で取得した全ての算出対象日、及び全ての受注製品について受注時引当率及び受注当日引当率を算出したと判別した場合（ステップＳ１８；Ｙｅｓ）、引当率リスト生成部１４８は、ステップＳ１６において算出した受注時引当率と、ステップＳ１７において算出した受注当日引当率と、から算出対象日及び受注製品ごとの引当率リストを生成する（ステップＳ１９）。そして、引当率リスト生成部１４８は、生成した引当率リストを出力部１６０に表示させる。そして、制御部１４０は、本処理を終了する。
【００５５】
図６に制御部１４０により出力される引当率リストの一例を示す。図６に示す例では、ある一日の算出対象日における受注時引当率と受注当日引当率とが、受注製品ごとのリストとして示されている。図６に示す引当率リストにおいて、引当率「９５％」が達成目標として予め決められており、また、受注製品「製品Ａ」は毎日１５時ごろ補給される製品だとする。この場合、受注製品「製品Ａ」の受注時引当率「８５％」は達成目標に達していないが、受注当日引当率「９６％」は達成目標を超えている。従って、受注製品「製品Ａ」の在庫は当日中の補給により出荷・引当ができていると推定でき、適切な在庫配置であると評価できる。また、受注製品「製品Ｂ」の受注時引当率「９７％」、及び受注当日引当率「９７％」はともに達成目標を超えているため、製品Ｂの在庫は適切な在庫配置であると評価できる。
【００５６】
以上説明したように、本実施形態に係る在庫配置評価指標算出装置１は、第１の指標として受注時点における引当率（受注時引当率）と、第２の指標として受注当日における引当率（受注当日引当率）とを算出する。従って、ユーザは、受注時引当率と受注当日引当率とを比較することにより、精度よく在庫配置を評価することができる。例えば、ユーザは、製品が受注時点で出荷・引当できなかった場合でも受注当日中に出荷・引当できている製品については、その在庫量は適切であると評価できるため、受注時点の引当率のみを考慮して製品の在庫を増やすことによる過剰な在庫を防止できる。
【００５７】
以上、本発明の実施形態について説明したが、本発明は上記の実施形態によって限定されるものではない。
【００５８】
例えば、在庫配置評価指標算出装置１は、１つの物流拠点における指標の算出に限られず、複数の物流拠点における指標を算出してもよい。この場合、在庫配置評価指標算出装置１は、上記実施形態における指標算出処理を複数の物流拠点毎に実行すればよい。
【００５９】
図７に複数の物流拠点毎に指標算出処理を実行した場合に出力される引当率リストの一例を示す。図７に示す引当率リストの例では、ある一日の算出対象日における受注時引当率と受注当日引当率とが、出荷元物流拠点及び受注製品ごとのリストとして示されている。図７に示すリストにおいて、出荷元物流拠点「拠点１」の受注製品「製品Ｃ」の受注時引当率「８０％」、受注当日引当率「９８％」、及び、出荷元物流拠点「拠点２」の受注製品「製品Ｃ」の受注時引当率「１００％」、受注当日引当率「１００％」から、ユーザは、拠点１の製品Ｃの在庫の出荷・引当において、拠点２の在庫から融通された製品Ｃから出荷・引当する割合が多いことがわかる。従って、ユーザは、拠点２の製品Ｃの在庫を減らすとともに、拠点１の製品Ｃの在庫を増やすことにより、拠点１及び拠点２において、製品Ｃの在庫量を適切にすることができる。
【００６０】
以上のように、複数の物流拠点毎に指標を算出することにより、ユーザは、ある製品について各物流拠点における受注時引当率及び受注当日引当率を比較でき、複数の物流拠点において在庫の偏在がないか評価することができる。
【００６１】
具体的には、例えば、複数の物流拠点に在庫を配置する製品や、生産拠点のみ在庫を保持し物流拠点では在庫を保持しない製品では、受注時に対象の物流拠点に在庫がない場合でも、その後の品繰部門で調整し、別の物流拠点や生産拠点にて在庫引当・出荷することがある。その場合に、受注時引当率では悪い評価となるだけで、対象物流拠点の在庫のみの評価となり、全体としては足りている、すなわち他の物流拠点、または生産拠点からの補給で補えることが分からない。しかし、受注当日引当率も算出することにより、ユーザは、受注時引当率と受注当日引当率とを比較することにより、複数の物流拠点での在庫配置が適切か評価することができる。
【００６２】
また、本発明に係る在庫配置評価指標算出装置１は、専用のシステムによらず、通常のコンピュータシステムを用いて実現可能である。例えば、ネットワークに接続されているコンピュータに、上記動作を実行するためのプログラムを、コンピュータシステムが読み取り可能な記録媒体（ＣＤ−ＲＯＭ、ＭＯ等）に格納して配布し、当該プログラムをコンピュータシステムにインストールすることにより、上述の処理を実行する在庫配置評価指標算出装置１を構成してもよい。
【００６３】
また、コンピュータにプログラムを提供する方法は任意である。例えば、プログラムは、通信回線の掲示板（ＢＢＳ）にアップロードされ、通信回線を介してコンピュータに配信されてもよい。また、プログラムは、プログラムを表す信号により搬送波を変調した変調波により伝送され、この変調波を受信した装置が変調波を復調してプログラムを復元するようにしてもよい。そして、コンピュータは、このプログラムを起動して、ＯＳの制御のもと、他のアプリケーションと同様に実行する。これにより、コンピュータは、上述の処理を実行する在庫配置評価指標算出装置１として機能する。
【符号の説明】
【００６４】
１      在庫配置評価指標算出装置
１１０  通信部
１２０  補助記憶部
１２１  受注情報ＤＢ
１２２  出荷・引当情報ＤＢ
１３０  主記憶部
１４０  制御部
１５０  入力部
１６０  出力部
１７０  バス
２      受注管理システム
３      在庫管理システム
４      ネットワーク
【図１】
2013220872.tif 000003
【図２】
2013220872.tif 000004
【図３】
2013220872.tif 000005
【図４】
2013220872.tif 000006
【図５】
2013220872.tif 000007
【図６】
2013220872.tif 000008
【図７】
2013220872.tif 000009